(57)【要約】【課題】昼夜を問わず、十分な照度を確保しつつ作業時間の短縮を図ることができるだけでなく、安全面の向上を図ることができる照明具を提供する。【解決手段】ツイストロック式の固定部６を備える操作棒１に着脱自在に取り付けられる照明具であって、内側の周壁で形成される貫通孔を備えた環状のケーシング１２と、ケーシング１２に備えられ、光を照射する照射部とを備え、ケーシング１２には、ケーシング１２を固定部６に先端から操作棒側へ外挿する際に、固定部６の径方向に突出する係止ピン６Ｂ，６Ｂの通過を許容するために内側の周壁に備えた溝部と、外挿後において固定部に備えているロック部材６Ｃにより、ケーシング１２が先端工具４側へ押し移動されて先端工具４とロック部材６Ｃとの間に固定すべく、先端工具４及びロック部材６Ｃのそれぞれに当接する当接部１４ｃ，１４ｄを備えている。【選択図】図１
2012135086.tif 000002
【特許請求の範囲】
【請求項１】
先端工具を固定する又は先端工具を接続するアダプタを固定するツイストロック式の固定部を備える操作棒に着脱自在に取り付けられる照明具であって、
内側の周壁で形成される貫通孔を備えた環状のケーシングと、該ケーシングに備えられ光を照射する照射部とを備え、前記ケーシングを前記固定部に先端から操作棒側へ外挿する際に、該固定部の外周面から径方向に突出する係止ピンの通過を許容するために前記内側の周壁に溝部を設けるとともに、ケーシングの外挿後において前記固定部の係止ピンに先端工具又はアダプタを係止してから該固定部に備えているロック部材により、前記ケーシングが先端工具側又はアダプタ側へ押し移動されて該先端工具又はアダプタと前記ロック部材との間に該ケーシングを固定するべく、該先端工具又はアダプタ及び該ロック部材のそれぞれに当接する当接部を該ケーシングに備えていることを特徴とする照明具。
【請求項２】
先端工具を固定する又は先端工具を接続するアダプタを固定するツイストロック式の固定部を備える操作棒に着脱自在に取り付けられる照明具であって、
互いに接近して前記操作棒の先端部又は前記固定部に抱き付かせて固定する固定状態と、固定状態から互いに離間して前記操作棒の先端部又は前記固定部から離脱可能となる固定解除状態とに切り替え自在に構成された一対の分割部を備え、少なくとも一方の分割部に、光を照射する照射部を備えていることを特徴とする照明具。
【請求項３】
前記各分割部が、前記固定部に備えているロック部材の外周面に当接する内周面を備えた円弧状の本体部と、該本体部のロック部材の厚み方向両端部から径方向内側に突出して該ロック部材の厚み方向両端面に当接する当接面を備えた一対の鍔部とを備えていることを特徴とする請求項２に記載の照明具。
【請求項４】
前記一対の分割部が、前記固定部に備えているロック部材の外周面と該ロック部材を支持している支持部の外周面の両面に当接すべく、径の異なる２つの内面を有する段付き内面を備えていることを特徴とする請求項２に記載の照明具。
【発明の詳細な説明】
【技術分野】
【０００１】
本発明は、電柱間に架設される送配電線等を活線の状態で間接活線作業を行う際に用いられる操作棒に取り付けることができる照明具に関する。
【背景技術】
【０００２】
一般的に、電柱間に架設される送配電線等を活線の状態で間接活線作業を行う場合、作業者が配電線（活線）に触れて感電しないように、配電線から離れた位置で作業を行う必要がある。このため、作業に応じた先端工具が取り付けられた操作棒を用いて遠隔操作を行うようにしている（例えば、特許文献１）。
【先行技術文献】
【特許文献】
【０００３】
【特許文献１】特開２００７−８２３３０号公報（図７、図９参照）
【発明の概要】
【発明が解決しようとする課題】
【０００４】
ところで、夜間に停電が発生した場合には、例えば作業者が電柱に登って配電線に対して検電器が取り付けられた操作棒を用いて停電であるかどうかの検電作業を行う必要がある。この夜間作業に必要な照度を確保するために、次のようにしている。
【０００５】
まず、全般的に広範囲に渡ってよく見えるように投光器を使用し、車両のシガーライター等から電源を取って地上から柱上を投光器の光で照らすようにしている。そして、手元がよく見えるように作業者は、キャップランプ等の補助照明灯を使用している。また、必要に応じて懐中電灯を柱上へ持って上がり、見え難い部分を懐中電灯で直接照らしながら作業を行うようにしている。
【０００６】
上記キャップランプは、作業者が被るキャップ等に取り付けられて手元を照らす目的で使用されるものであるため、長さのある操作棒でアプローチする作業箇所に十分な照度の光を照らすことができない。このため、作業を度々中断して、懐中電灯で作業箇所を確認しながら、作業を行わなければならず、非常に手間のかかる作業になっていた。また、懐中電灯もキャップランプと同様に、手に持って手元付近を照らすものであるため、前記のように長さのある操作棒でアプローチする作業箇所までの距離が長いと、作業箇所に十分な照度の光を照らすことができない。特に、広範囲にわたる停電時において柱上の故障箇所を調査する時には、高圧線のある電柱の上部まで登っていく必要があり、更に手間のかかる作業になるだけでなく、高圧線に近付かなければならないことから、安全面においても問題がある。
【０００７】
因みに、作業箇所の近辺に懐中電灯を足場ボルトに掛けてバインド線等で固定し、作業箇所を照らしておくことによって、作業を中断して作業箇所を確認する手間を省くことも考えられるが、懐中電灯を固定する作業が手間のかかるものである。また、作業箇所が変わる度に、懐中電灯で照らす場所を調整する必要があり、事前の照度を確保するための準備作業に時間がかかり、その分作業時間が多くかかる結果、実施し難いものであった。
【０００８】
また、作業者の作業位置によっては、地上から照らす投光器の陰になることがあり、操作棒でアプローチする作業箇所を十分に確認できない場合があるなど、使用面においても難点がある。
【０００９】
さらに、照度が不足することによって、作業箇所の確認を十分に行うことができないため、作業時間が多くかかるだけでなく、人的ミスを発生させる恐れもあり、改善の余地があった。
【００１０】
また、日中であっても、影となる部分（例えば、カットアウトの蓋を開放した状態でのネジ締め等）の作業において、間接活線工事を実施する場合に、作業箇所から１．５ｍ程度離れた箇所からの目視となり、作業がやり難いものであった。
【００１１】
そこで、本発明は、上記問題に鑑みてなされたもので、昼夜を問わず、十分な照度を確保しつつ作業時間の短縮を図ることができるだけでなく、安全面の向上を図ることができる照明具を提供することを課題とする。
【課題を解決するための手段】
【００１２】
本発明の照明具は、上記課題を解決すべく構成され、先端工具を固定する又は先端工具を接続するアダプタを固定するツイストロック式の固定部を備える操作棒に着脱自在に取り付けられる照明具であって、内側の周壁で形成される貫通孔を備えた環状のケーシングと、該ケーシングに備えられ光を照射する照射部とを備え、前記ケーシングを前記固定部に先端から操作棒側へ外挿する際に、該固定部の外周面から径方向に突出する係止ピンの通過を許容するために前記内側の周壁に溝部を設けるとともに、ケーシングの外挿後において前記固定部の係止ピンに先端工具又はアダプタを係止してから該固定部に備えているロック部材により、前記ケーシングが先端工具側又はアダプタ側へ押し移動されて該先端工具又はアダプタと前記ロック部材との間に該ケーシングを固定するべく、該先端工具又はアダプタ及び該ロック部材のそれぞれに当接する当接部を該ケーシングに備えていることを特徴とする。
【００１３】
上記構成によれば、操作棒の先端に接続される先端工具又はアダプタを固定するツイストロック式の固定部に固定されたケーシングに備えている照射部から、先端工具の前方側又はアダプタの前方側の作業箇所へ光を照射することができる。従って、操作棒の先端に位置する先端工具又はアダプタから作業箇所までの距離が短いため、十分な照度の光で作業箇所を照らすことができるから、高圧線などに近付いて光を照射する必要もない。そして、光を照射したい方向へ向ける場合には、その方向へ先端工具又はアダプタの向きを変更すればよく、しかも照射される方向は、先端工具で作業する方向となり、作業を迅速に行うことができる。また、ケーシングが、固定部の径方向に突出する係止ピンの通過を許容するための溝部を備えていることから、固定部に先端から操作棒側へ外挿し、ケーシングの外挿後において前記固定部の係止ピンに先端工具又はアダプタを係止してから該固定部に備えているロック部材によりケーシングを先端工具又はアダプタとロック部材との間に固定することができるから、固定部を何ら改造することなく、照明具の装着を行うことができる利点もある。
【００１４】
また、本発明の照明具は、先端工具を固定する又は先端工具を接続するアダプタを固定するツイストロック式の固定部を備える操作棒に着脱自在に取り付けられる照明具であって、互いに接近して前記操作棒の先端部又は前記固定部に抱き付かせて固定する固定状態と、固定状態から互いに離間して前記操作棒の先端部又は前記固定部から離脱可能となる固定解除状態とに切り替え自在に構成された一対の分割部を備え、少なくとも一方の分割部に、光を照射する照射部を備えていることを特徴とする。
【００１５】
上記構成によれば、操作棒の先端部又は固定部に固定した一対の分割部の少なくとも一方の分割部に備えた照射部から、操作棒の先端部の前方側又は固定部の前方側の作業箇所へ光を照射することができる。従って、操作棒の先端部又は固定部から作業箇所までの距離が短いため、十分な照度の光で作業箇所を照らすことができるから、高圧線などに近付いて光を照射する必要もない。そして、光を照射したい方向へ向ける場合には、その方向へ固定部を向き変更すればよく、しかも照射される方向は、先端工具で作業する方向となり、作業を迅速に行うことができる。また、一対の分割部を、互いに接近させて操作棒の先端部又は固定部に抱き付かせることで操作棒の先端部又は固定部に固定することができるから、操作棒の先端部又は固定部を何ら改造することなく、照明具の装着を行うことができる利点もある。
【００１６】
また、本発明の照明具は、前記各分割部が、前記固定部に備えているロック部材の外周面に当接する内周面を備えた円弧状の本体部と、該本体部のロック部材の厚み方向両端部から径方向内側に突出して該ロック部材の厚み方向両端面に当接する当接面を備えた一対の鍔部とを備えていてもよい。
【００１７】
上記のように、ロック部材の厚み方向両端面に当接する当接面を備えた一対の鍔部を備えさせておけば、ロック部材に装着された照明具が、がた付くことやロック部材の厚み方向にずれる（移動する）ことを確実に阻止することができる。
【００１８】
また、本発明の照明具は、前記一対の分割部が、前記固定部に備えているロック部材の外周面と該ロック部材を支持している支持部の外周面の両面に当接すべく、径の異なる２つの内面を有する段付き内面を備えていてもよい。
【００１９】
上記のように、一対の分割部が径の異なる２つの内面を有する段付き内面を備えておけば、当接面積を増大させることができるだけでなく、段部の作用により、ロック部材に装着された照明具が、がた付くことやロック部材の厚み方向にずれる（移動する）ことを確実に阻止することができる。また、ロック部材の外周面とロック部材の支持部の外周面の両面に当接させる構成であることから、ロック部材が回転式である場合には、ロック部材の緩み止めを有効に阻止することができる。
【発明の効果】
【００２０】
以上の如く、本発明は、操作棒の先端側に照明具を備えさせる構成にすることによって、昼夜を問わず、十分な照度を確保しつつ作業時間の短縮を図ることができるだけでなく、安全面の向上を図ることができる照明具を提供することができる。また、操作棒の先端部又は固定部を何ら改造することなく、照明具の装着を行うことができ、商品価値の高い照明具とすることができる。
【図面の簡単な説明】
【００２１】
【図１】（ａ）は操作棒の先端の固定部に本発明の第１の照明具及び先端工具を接続する直前の状態を示す側面図、（ｂ）は操作棒の先端の固定部に本発明の第１の照明具及び先端工具を接続した状態を示す正面図である。
【図２】本発明の第１の照明具であって、（ａ）は平面図、（ｂ）は底面図、（ｃ）は正面図、（ｄ）は側面図である。
【図３】本発明の第２の照明具であって、（ａ）は平面図、（ｂ）は斜視図、（ｃ）は第２の照明具を固定部に固定した状態を示す正面図、（ｄ）は、（ｃ）で示した第２の照明具の変形例を示す正面図である。
【図４】本発明の第３の照明具であって、（ａ）は斜め上から見た正面図、（ｂ）は第２の照明具を固定部に固定した状態を示す縦断面図である。
【図５】（ａ）は操作棒の先端に２つのアダプタを接続し上側のアダプタの固定部に本発明の第１の照明具及び先端工具を接続する直前の状態を示す側面図、（ｂ）は操作棒の先端に２つのアダプタを接続し上側のアダプタの固定部に第１の照明具及び先端工具を接続した状態を示す正面図である。
【発明を実施するための形態】
【００２２】
以下、本発明に係る照明具について、図面を参酌しつつ説明する。
＜第一実施形態＞
【００２３】
図１（ａ）は、操作棒１の先端に先端工具４が接続される直前の状態の側面図を示している。そして、操作棒１の先端と先端工具４との間に固定される照明具Ｓが示され、図１（ｂ）では、照明具Ｓが、操作棒１の先端と先端工具４との間に固定された状態を示している。尚、図１（ａ），（ｂ）では、先端工具として、停電時の検電作業を行う検電器を用いているが、引掛具や切断工具、把持工具、ボルト締結工具、電線接続工具、電線皮剥工具、ＰＣ操作用工具等を用いてもよい。
【００２４】
操作棒１は、絶縁材料を用いて細長の棒状体に構成された絶縁操作棒（共用操作棒とも言う）５と、絶縁操作棒５の先端（上端）に先端工具４を接続するためのツイストロック式の固定部６とを備えている。
【００２５】
固定部６は、内蔵スプリング（図示せず）により上方に突出付勢されている突起６ａを有する円柱状の固定部本体６Ａと、固定部本体６Ａの外周面に先端工具４を係止固定するための一対の係止ピン６Ｂ，６Ｂと、係止ピン６Ｂ，６Ｂで係止された先端工具４の係止解除を阻止するための回転式で円環状のロック部材６Ｃとを備えている。一対の係止ピン６Ｂ，６Ｂは、周方向に所定間隔を置いて径方向外方に突出するように設けられている。
【００２６】
先端工具４は、先端の検知部４ａを当接させて検電を行う検電器本体４Ａと、検電器本体４Ａの一端（図では下端）に備えツイストロック式の固定部６に接続される固定部側接続部４Ｂとを備えている。
【００２７】
固定部側接続部４Ｂは、固定部本体６Ａを内挿することができる内径を有するように円筒状に構成された円筒部１１Ａと、固定部本体６Ａの内挿に伴って固定部本体６Ａの係止ピン６Ｂ，６Ｂを挿通案内した後係止固定するための略Ｔ字状に切欠き形成された切欠部１１Ｂ，１１Ｂ（図１（ａ）では一方のみ図示している）とを備えている。
【００２８】
照明具Ｓは、図１（ａ），（ｂ）及び図２（ａ）〜（ｄ）に示すように、ケーシング１２と、ケーシング１２の内部に備えられ、光を照射する照射部を構成する複数（図では８個）の発光ダイオード１３とを備えている。
【００２９】
ケーシング１２は、内側の周壁１４ａで形成される貫通孔１４Ｋを備えた円環状のケーシング本体１４と、ケーシング本体１４の外側の周壁１４ｂの上下端と内側の周壁１４ａの上下端同士を連結する上下壁１４ｃ，１４ｄのうちの下側壁１４ｄの周方向の２箇所のそれぞれに下方へ延びる延出部１５とを備えている。
【００３０】
前記上下壁１４ｃ，１４ｄが、ケーシング１２の固定部６への外挿後において前記ロック部材６Ｃによりケーシング１２が先端工具４側へ押し移動されて先端工具４とロック部材６Ｃとの間に固定すべく、先端工具４及びロック部材６Ｃに当接する当接部を構成している。
【００３１】
ケーシング本体１４の内側の周壁１４ａには、ケーシング１２をそれの貫通孔１４Ｋを通して固定部６に先端（上端）から操作棒側へ外挿する際に、固定部６の係止ピン６Ｂ，６Ｂの通過を許容するための溝部１４Ｍ，１４Ｍを備えている。溝部１４Ｍ，１４Ｍは、上下方向に貫通し、径方向外側に凹んだ溝であり、溝の径方向の長さが係止ピン６Ｂ，６Ｂと同一又は係止ピン６Ｂ，６Ｂよりも長く設定されている。
【００３２】
延出部１５，１５のうちの一方が、８個の発光ダイオード１３のうちの図２（ａ）において左側の４個の発光ダイオード１３に電力を供給するためのボタン電池１６を収納するための収納空間を形成し、残る他方が、図２（ａ）の残る右側の４個の発光ダイオード１３に電力を供給するためのボタン電池１７を収納するための収納空間を形成している。
【００３３】
また、各延出部１５は、ケーシング本体１４の外側の周壁１４ｂから下方へ延出される円弧状の外壁１５Ａと、この外壁１５Ａの径方向で対向し、かつ、前記内側の周壁１４ａよりも外側に位置するように配置した内側の円弧状の内壁１５Ｂと、外壁１５Ａの周方向両端と内壁１５Ｂの周方向両端とを連結する前後壁１５Ｃ，１５Ｄと、底面（下面）を形成する底壁１５Ｅとを備えている。尚、延出部１５，１５内の消耗したボタン電池１６，１７の交換作業が行えるように、ケーシング本体１４に対して延出部１５，１５を着脱自在に構成してもよい。また、図示していないが、発光ダイオード１３をＯＮ−ＯＦＦするためのスイッチをケーシング１２に備えさせている。尚、図では、２つの延出部１５，１５を備えたものを示しているが、円環状のスカート部をケーシング本体１４の下端に備えさせてもよいし、場合によっては、これら２個の延出部１５，１５を省略してもよい。省略する場合には、ケーシング本体１４の外径を部分的又は全周に亘って大きくして、ボタン電池を収納するスペースを確保することになる。
【００３４】
操作棒１に、先端工具４を接続していく手順について説明する。尚、先端工具４を接続する際に、照明具Ｓを装着する点も合わせて説明する。
【００３５】
まず、照明具Ｓのケーシング１２を操作棒１の固定部６に先端から操作棒１側へ外挿する。この外挿時には、固定部６の係止ピン６Ｂ，６Ｂにケーシング本体１４の溝部１４Ｍ，１４Ｍを一致させることになる。照明具Ｓのケーシング１２の固定部６への外挿後は、操作棒１の固定部６の係止ピン６Ｂ，６Ｂを先端工具４の切欠部１１Ｂ，１１Ｂに挿入する。このとき、突起６ａが、円筒部６Ａの上端に備えている上壁面（図示せず）に当接して、内蔵スプリングの付勢力に抗して固定部本体６Ａ内に押し込まれる。この状態から操作棒１を回転（ツイスト）させると、切欠部１１Ｂ，１１Ｂの周方向両端の係止凹部１１ｂ，１１ｂの一方に内蔵スプリングの付勢力により係止して固定される。続いて、ロック部材６Ｃを回転させることにより、照明具Ｓを上方の先端工具４側へ押し付ける。これによって、照明具Ｓが先端工具４とロック部材６Ｃとの間に固定されるとともに、前記係止が解除されることを阻止することができるようになっている。尚、照明具Ｓのケーシング１２のケーシング本体１４の厚みは、照明具Ｓのケーシング１２を固定部６へ外挿した後に、先端工具４の切欠部１１Ｂ，１１Ｂに固定部６の係止ピン６Ｂ，６Ｂを係止固定することができ、この係止固定後に、ロック部材６Ｃで照明具Ｓを上方の先端工具４側へ押し付けることができる厚みに設定されている。例えば、ロック部材６Ｃを緩める方向に一杯緩めた状態で先端工具４を装着した状態において、ロック部材６Ｃの上端面と先端工具４の下端面との隙間がほぼ７ｍｍである操作棒１を用いる場合には、ケーシング本体１４の厚みを７ｍｍ以下に設定すれば装着できる。
＜第二実施形態＞
【００３６】
図３（ａ），（ｂ），（ｃ）は、図１（ａ），（ｂ）及び図２（ａ）〜（ｄ）の照明具Ｓとは、別の照明具Ｓを示している。図１（ａ），（ｂ）及び図２（ａ）〜（ｄ）の照明具Ｓは、先端工具４を接続する前に外挿しておくことになるが、図３（ａ），（ｂ），（ｃ）では、先端工具４を接続した後に、照明具Ｓを取り付けることができる。
【００３７】
つまり、照明具Ｓが一対の円弧状（図３（ａ）では半円状）の分割部１８，１９と、分割部１８，１９それぞれの上面から上方に突出するように周方向に所定間隔を置いて設けられた複数（図では４個）の発光ダイオード２０と、両分割部１８，１９の外周面に固定されて両分割部１８，１９を一体化するとともに両分割部１８，１９を互いに接近させる方向に付勢するための一枚の板バネ２１とから構成されている。
【００３８】
板バネ２１の長手方向中間部分に、外側に凸となる屈曲部２１Ａを備えるとともに、板バネ２１の長手方向両端部（遊端部）に、折り曲げられて外側へ突出した一対の操作片部２１ａ，２１ｂを備えている。また、一方の操作片部２１ａは、他方の操作片部２１ｂの通過を許容する貫通孔２１Ｋを備えている。
【００３９】
従って、図３（ａ）に矢印で示す方向、つまり互いに接近する側に一対の操作片部２１ａ，２１ｂを操作し、更に操作片部２１ｂを一方の操作片部２１ａの貫通孔２１Ｋを通過するように操作することによって、一対の分割部１８，１９を互いに離間する開放状態にして照明具Ｓをロック部材６Ｃに抱き付かせることができる。そして、抱き付かせた後は、板バネ２１の復元力により抱き付かせた状態で固定する固定状態を保持することができるようになっている（図３（ｃ）参照）。前記抱き付かせた一対の分割部１８，１９は、前記と同じように一対の操作片部２１ａ，２１ｂを図３（ａ）の矢印の方向へ操作することにより離間される。これにより、一対の分割部１８，１９が固定状態から互いに離間して前記固定状態が解除される固定解除状態に切り替えることができ、照明具Ｓをロック部材６Ｃから取り外すことができるようになっている。
【００４０】
図３（ｄ）では、図３（ａ），（ｂ），（ｃ）で示した一対の分割部１８，１９の内周面の形状を変更した別の一対の分割部２２，２３を示している。つまり、一対の分割部２２，２３が、前記固定部６に備えているロック部材６Ｃの外周面に当接する内周面２２ａ，２３ａを備えた円弧状の本体部２２Ａ，２３Ａと、該本体部２２Ａ，２３Ａのロック部材６Ｃの厚み方向両端部から径方向内側に突出して該ロック部材６Ｃの厚み方向両端面に当接する当接面２２ｂ，２２ｃ、２３ｂ，２３ｃを備えた一対の鍔部２２Ｂ，２２Ｃ、２３Ｂ，２３Ｃとを備えている。このように一対の鍔部２２Ｂ，２２Ｃ、２３Ｂ，２３Ｃを備えていることにより、ロック部材６Ｃに装着された照明具Ｓが、がた付くことやロック部材の厚み方向にずれる（移動する）ことを確実に阻止することができる。
＜第三実施形態＞
【００４１】
図４（ａ），（ｂ）では、図３（ａ），（ｂ），（ｃ）で示した一対の分割部１８，１９とは、別の一対の円弧状（図４（ａ）では半円状）の分割部２４，２５を示している。つまり、一対の分割部２４，２５が、前記固定部６に備えているロック部材６Ｃの外周面６Ｇとロック部材６Ｃを移動自在に支持している支持部である螺子２６の外周面２６Ａの２つの面６Ｇ，２６Ａに当接すべく、径の異なる２つの内面を有する段付き内面２７を備えている。段付き内面２７は、段部２７Ｃを挟んで上側に位置し、かつ、ロック部材６Ｃの外径よりも少し小さな内径を有する第１内面２７Ａと、下側に位置し、かつ、第１内面２７Ａよりも小径でロック部材６Ｃの内径よりも少し小さな内径を有する第２内面２７Ｂとを備えている。また、分割部２４，２５の内面を、ゴム等の弾性体から構成することによって、ロック部材６Ｃの外径よりも少し小さな内径の分割部２４，２５の内周面をロック部材６Ｃの外周面に食い込ませることができるから、ロック部材６Ｃの緩み止めを確実に行うことができる利点がある。
【００４２】
前記分割部２４，２５に、それの上面から上方に突出して先端工具４の前方の作業箇所に光を照射する照射部を構成する発光ダイオード２８（図では合計１０個の発光ダイオード２８を示しているが、何個でもよい）を備えている。そして、一方の分割部２４の一端に上下一対の第１連結部２４ａ，２４ａを備え、該上下一対の連結部２４ａ，２４ａに挟み込まれてピンＰを介して連結される第２連結部２５ａを他方の分割部２５の一端に備えて、ピンＰを中心として分割部２４，２５を揺動開閉可能に構成している。また、図４（ａ）で示す閉じ状態を保持する上下一対のロック片２９，２９を分割部２４，２５に備えている。従って、一対のロック片２９，２９を図４（ａ）に示すロック位置から左側に移動させることにより、ロック解除位置に切り替え、ピンＰを中心として分割部２４，２５を互いに離間させるべく、揺動開放操作することができ、この揺動開放状態で分割部２４，２５をロック部材６Ｃに抱き付かせることができる。そして分割部２４，２５を抱き付かせた後は、一対のロック片２９，２９をロック解除位置からロック位置（図４（ａ）参照）に移動させることによって、分割部２４，２５をロック部材６Ｃに抱き付かせた状態で固定することができる。この固定状態では、一対の分割部２４，２５が異なる２つの内径Ｒ１，Ｒ２を有する段付き内面２７を備えているから、当接面積を増大させることができるだけでなく、段部２７Ｃによりロック部材６Ｃに装着された照明具Ｓが、上方へ位置ずれすることやがた付くことを確実に阻止することができる。また、ロック部材６Ｃの外周面とロック部材の支持部の外周面の両面に当接させる構成であることから、回転式のロック部材の緩み止めを有効に阻止することができる利点もある。
＜第四実施形態＞
【００４３】
図１（ａ），（ｂ）では、操作棒１の先端の固定部６に、照明具Ｓ及び先端工具４を接続したが、図５（ａ），（ｂ）に示すように、２つのアダプタ２，３を順次接続し、先端側（図では上端側）のアダプタ３の固定部１０に先端工具４を接続してもよい。つまり、図５（ａ）に、操作棒１の先端に菊座アダプタ２、菊座アダプタ２の先端にツイストロックアダプタ３、ツイストロックアダプタ３の先端に先端工具４がそれぞれ接続される直前の状態の側面図を示している。そして、ツイストロックアダプタ３と先端工具４との間に固定される照明具Ｓが示され、図５（ｂ）では、照明具Ｓが、ツイストロックアダプタ３と先端工具４との間に固定された状態を示している。
【００４４】
操作棒１は、絶縁材料を用いて細長の棒状体に構成された絶縁操作棒（共用操作棒とも言う）５と、絶縁操作棒５の先端（上端）に菊座アダプタ２を接続するためのツイストロック式の固定部６とを備えている。
【００４５】
固定部６は、内蔵スプリング（図示せず）により上方に突出付勢されている突起６ａを有する円柱状の固定部本体６Ａと、固定部本体６Ａの外周面に菊座アダプタ２を係止固定するための一対の係止ピン６Ｂ，６Ｂと、係止ピン６Ｂ，６Ｂで係止された菊座アダプタ２の係止解除を阻止するための回転式で円環状のロック部材６Ｃとを備えている。一対の係止ピン６Ｂ，６Ｂは、周方向に所定間隔を置いて径方向外方に突出するように設けられている。
【００４６】
菊座アダプタ２は、一端（下端）側に操作棒１の固定部６に接続される操作棒側の第１接続部７と、他端（上端）側にツイストロックアダプタ３を接続するためのアダプタ側の第２接続部８とを備えている。
【００４７】
第１接続部７は、固定部本体６Ａを内挿することができる内径を有するように円筒状に構成された円筒部７Ａと、固定部本体６Ａの内挿に伴って固定部本体６Ａの係止ピン６Ｂ，６Ｂを挿通案内した後係止固定するために略Ｔ字状に切欠き形成された一対の切欠部７Ｂ，７Ｂとを備えている。
【００４８】
第２接続部８は、表面に周方向に所定間隔を置いて径方向に沿って形成された多数の突起８ａを有する円形状のヘッド部８Ａと、ヘッド部８Ａの中心部に水平方向に突出する螺子軸８Ｂと、螺子軸８Ｂに螺合する蝶ナット８Ｃとを備えている。
【００４９】
ツイストロックアダプタ３は、一端（下端）側に菊座アダプタ２のヘッド部８Ａに接続される菊座アダプタ側の接続部９と、他端（上端）側に先端工具４を接続するためのツイストロック式の固定部１０とを備えている。
【００５０】
菊座アダプタ側の接続部９は、螺子軸８Ｂの挿入を許容する下方開放型の縦溝９Ｍを有する円形状の菊座９Ａを備え、その菊座９Ａの両面のそれぞれに、菊座アダプタ２の多数の突起８ａに噛合う多数の突起９ａが周方向に所定間隔を置いて径方向に沿って形成されている。多数の突起９ａが菊座９Ａの両面に備えられていることによって、菊座９Ａの両面のどちらの面からも菊座アダプタ２の多数の突起８ａに噛み合わせることができるようになっているが、片面（一方の面）にのみ多数の突起９ａを備えたものであってもよい。
【００５１】
固定部１０は、内蔵スプリング（図示せず）により上方に突出付勢されている突起１０ａを有する円柱状の固定部本体１０Ａと、固定部本体１０Ａの外周面に先端工具４を係止させるための一対の係止ピン１０Ｂ，１０Ｂ（図１（ａ）では一方側のみ図示している）と、係止ピン１０Ｂ，１０Ｂで係止された先端工具４の係止解除を阻止するための回転式で円環状のロック部材１０Ｃとを備えている。一対の係止ピン１０Ｂ，１０Ｂは、周方向に所定間隔を置いて径方向外方に突出するように設けられている。
【００５２】
先端工具４は、先端の検知部４ａを当接させて検電を行う検電器本体４Ａと、検電器本体４Ａの一端（図では下端）に備えツイストロックアダプタ３の固定部１０に接続される固定部側接続部４Ｂとを備えている。
【００５３】
固定部側接続部４Ｂは、固定部本体１０Ａを内挿することができる内径を有するように円筒状に構成された円筒部１１Ａと、固定部本体１０Ａの内挿に伴って固定部本体１０Ａの係止ピン１０Ｂ，１０Ｂを挿通案内した後係止固定するための略Ｔ字状に切欠き形成された切欠部１１Ｂ，１１Ｂ（図５（ａ）では一方のみ図示している）とを備えている。
【００５４】
操作棒１に、菊座アダプタ２、ツイストロックアダプタ３、先端工具４を接続していく手順について説明する。尚、先端工具４を接続する際に、照明具Ｓを装着する点も合わせて説明する。
【００５５】
まず、操作棒１の係止ピン６Ｂ，６Ｂを菊座アダプタ２の切欠部７Ｂ，７Ｂに挿入する。このとき、突起６ａが、円筒部７Ａの上端に備えている上壁面（図示せず）に当接して、内蔵スプリングの付勢力に抗して固定部本体６Ａ内に押し込まれる。この状態から操作棒１を回転（ツイスト）させると、切欠部７Ｂ，７Ｂの周方向両端の係止凹部７ｂ，７ｂの一方に内蔵スプリングの付勢力により係止して固定される。続いて、ロック部材６Ｃを回転させることにより、菊座アダプタ２を上方側へ押し付けて前記係止が解除されることを阻止することができるようになっている。
【００５６】
操作棒１に接続された菊座アダプタ２の螺子軸８Ｂに、ツイストロックアダプタ３の菊座９Ａの縦溝９Ｍを係止させてから、螺子軸８Ｂの軸方向菊座アダプタ２側に移動させる。この移動により、菊座アダプタ２の突起８ａにツイストロックアダプタ３の菊座９Ａの突起９ａを噛み合わせ、その噛み合い状態で蝶ナット８Ｃを回転させることにより菊座アダプタ２にツイストロックアダプタ３を固定することができる。尚、菊座アダプタ２の突起８ａに対して菊座アダプタ２の突起８ａを噛み合わせる位置を変更することによって、菊座アダプタ２に対するツイストロックアダプタ３の角度を変更することができる。この菊座アダプタ２に対するツイストロックアダプタ３の角度変更が行われたとしても、照明具Ｓがツイストロックアダプタ３の固定部１０に固定されていることから、照明具Ｓからの照射方向を先端工具４の前方へ常に向けることができる利点がある。つまり、先端工具４の向きと照明具Ｓの照射方向とを一致させることができるから、ツイストロックアダプタ３の角度変更が行われたとしても、照明具Ｓの向きを変更することが不要になる。
【００５７】
次に、照明具Ｓのケーシング１２をツイストロックアダプタ３の固定部１０に先端から操作棒１側へ外挿する。この外挿時には、固定部１０の係止ピン１０Ｂ，１０Ｂにケーシング本体１４の溝部１４Ｍを一致させることになる。照明具Ｓのケーシング１２の固定部１０への外挿後は、ツイストロックアダプタ３の固定部１０の係止ピン１０Ｂ，１０Ｂを先端工具４の切欠部１１Ｂ，１１Ｂに挿入する。このとき、突起１０ａが、円筒部１１Ａの上端に備えている上壁面（図示せず）に当接して、内蔵スプリングの付勢力に抗して固定部本体１０Ａ内に押し込まれる。この状態から操作棒１を回転（ツイスト）させると、切欠部１１Ｂ，１１Ｂの周方向両端の係止凹部１１ｂ，１１ｂの一方に内蔵スプリングの付勢力により係止して固定される。続いて、ロック部材１０Ｃを回転させることにより、照明具Ｓを上方の先端工具４側へ押し付ける。これによって、照明具Ｓが先端工具４とロック部材１０Ｃとの間に固定されるとともに、前記係止が解除されることを阻止することができるようになっている。
【００５８】
尚、本発明は、上記実施形態に限定されるものではなく、本発明の要旨を逸脱しない範囲で種々の変更が可能である。例えば、本発明の照明具は、二軸ツイストロック式の固定部に取り付けて実施することもできる。
【００５９】
上記第１実施形態から第４実施形態では、照射部を複数の発光ダイオードから構成したが、１個の発光ダイオードで構成してもよい。発光ダイオードに代えて、ランプなどであってもよい。
【００６０】
また、上記第１実施形態では、操作棒１に２個のアダプタ２，３を備えさせ、上側に位置するアダプタ３のツイストロック式の固定部１０に照明具Ｓを接続したが、下側に位置するアダプタ２を接続するツイストロック式の固定部６に照明具Ｓを接続してもよい。
【００６１】
また、上記第２実施形態及び第３実施形態の分割部１８，１９、２４，２５を、ツイストロック式の固定部に固定したが、操作棒１の先端部に抱き付かせて固定してもよいし、抱き付かせることができる部分であれば、操作棒１の先端側であれば、どの部分に固定してもよい。
【００６２】
また、上記第１実施形態から第４実施形態では、ロック部材が回転式のねじ部材から構成したが、ロック部材がバネなどにより先端工具側へ移動付勢されるスライド部材から構成されていてもよい。
【００６３】
また、上記第１実施形態から第４実施形態では、ケーシング１２に備えた手動操作式のＯＮ−ＯＦＦスイッチにより発光ダイオードをＯＮ−ＯＦＦする場合を示したが、ケーシング１２を操作棒１側へ装着することにより発光ダイオードをＯＮし、ケーシング１２を操作棒１側から取り外すことにより発光ダイオードをＯＦＦするようなスイッチであってもよい。
【００６４】
また、上記第２実施形態では、一対の分割部１８，１９が板バネ２１で一体化され、第３実施形態では、一対の分割部２４，２５がピンＰで一体化された場合を示したが、別々の分割部を互いに接近させたときに、一体化され、一対の分割部を離間させたときに、完全に分離する構成であってもよい。
【符号の説明】
【００６５】
１…操作棒、２…菊座アダプタ、３…ツイストロックアダプタ、４…先端工具、４Ａ…検電器本体、４Ｂ…固定部側接続部、５…絶縁操作棒、６…固定部、６Ａ…固定部本体、６Ｂ，６Ｂ…係止ピン、６Ｃ…ロック部材、６ａ…突起、７…接続部、７Ａ…円筒部、７Ｂ…切欠部、７ｂ…係止凹部、８…接続部、８Ａ…ヘッド部、８Ｂ…螺子軸、８Ｃ…蝶ナット、８ａ…突起、９…接続部、９Ａ…菊座、９Ｍ…縦溝、９ａ…突起、１０…固定部、１０Ａ…固定部本体、１０Ｂ…係止ピン、１０Ｃ…ロック部材、１０Ｇ…外周面、１０ａ…突起、１１Ａ…円筒部、１１Ｂ…切欠部、１１ｂ…係止凹部、１２…ケーシング、１２Ｋ…貫通孔、１２ｄ…下側壁、１３…発光ダイオード（照射部）、１４…ケーシング本体、１４Ｋ…貫通孔、１４Ｍ…溝部、１４Ｍ…溝部、１４ａ…周壁、１４ｂ…周壁、１４ｃ，１４ｄ…上下壁（当接部）、１５…延出部、１５Ａ…外壁、１５Ｂ…内壁、１５Ｃ，１５Ｄ…前後壁、１５Ｅ…底壁、１６，１７…ボタン電池、１８，１９…分割部、１８Ａ，１９Ａ…ケーシング、２０…発光ダイオード（照射部）、２１Ｋ…貫通孔、２１…板バネ、２１Ａ…屈曲部、２１Ｋ…貫通孔、２１ａ…操作片部、２１ａ，２１ｂ…操作片部、２２，２３…分割部、２２Ａ，２３Ａ…本体部、２２Ｂ，２２Ｃ…鍔部、２２ａ，２３ａ…内周面、２２ｂ，２２ｃ…当接面、２４，２５…分割部、２４Ａ…ケーシング、２４Ａ，２４Ｂ…ケーシング、２４Ｎ，２５Ｎ…内面、２４ａ，２４ｂ…連結部、２６…螺子、２６Ａ…外周面、２７…段付き内面、２８…発光ダイオード（照射部）、２９…ロック片、Ｐ…ピン、Ｓ…照明具
【図１】
2012135086.tif 000003
【図２】
2012135086.tif 000004
【図３】
2012135086.tif 000005
【図４】
2012135086.tif 000006
【図５】
2012135086.tif 000007